(57)【特許請求の範囲】
【請求項１】
住宅等の小規模構造物の基礎となる鋼管杭の芯出しを行うために、地盤上に配置して使用する芯出し具であって、
前記芯出し具は帯状部材に、前記鋼管杭の直径より径の大きな打設孔を複数形成して構成し、
前記芯出し具の一方の端部から凸部を延設し、前記芯出し具の他方の端部には前記凸部と係合する凹部を形成することを特徴とする、
芯出し具。
【請求項２】
請求項１に記載の芯出し具において、前記帯状部材は可撓性を有することを特徴とする、芯出し具。
【請求項３】
請求項１に記載の芯出し具において、前記帯状部材は網材からなることを特徴とする、芯出し具。
【請求項４】
請求項１乃至請求項３のいずれかに記載の芯出し具において、前記芯出し具の周囲には、前記地盤と前記芯出し具とを離すための足部を設けることを特徴とする、芯出し具。
【発明の詳細な説明】
【技術分野】
【０００１】
本発明は住宅等の小規模構造物の基礎となる鋼管杭の芯出しを行う際に使用する芯出し具に関するものである。
【背景技術】
【０００２】
従来、小規模住宅等の構造物の基礎として、鋼管杭を支持杭として打設している。
支持杭の打設工程は、
（１）支持杭の打設位置を決める芯出し工程
（２）支持杭を決めた位置にセットする杭設置工程
（３）支持杭を地盤に打設する杭打設工程
からなる。
【発明の開示】
【発明が解決しようとする課題】
【０００３】
前記した従来の支持杭の打設工程には、以下のような問題がある。
＜１＞芯出しは、基準点を定め、その基準点から測量を行うため、支持杭一本ごとに芯出しのための測量を行う必要がある。
＜２＞杭設置工程で目視により杭の位置や杭芯の位置を確認するが、杭打設工程において杭が斜めに貫入して打設された場合には、打設途中では位置ずれや芯ずれを確認することができない。
＜３＞木製や軽量鉄骨等のユニット住宅の場合、使用するユニットによって杭の位置が常に決まっているが、ユニットを用いて住宅を構築する度に芯出しのために測量を行う必要がある。
【０００４】
本発明は、容易に杭の芯出しができると共に、打設時の芯ずれを確認できる芯出し具を提供することを目的とする。
【課題を解決するための手段】
【０００５】
上記目的を達成するためになされた本願の第１発明は、住宅等の小規模構造物の基礎となる鋼管杭の芯出しを行うために、地盤上に配置して使用する芯出し具であって、前記芯出し具は帯状部材に、前記鋼管杭の直径より径の大きな打設孔を複数形成して構成し、前記芯出し具の一方の端部から凸部を延設し、前記芯出し具の他方の端部には前記凸部と係合する凹部を形成することを特徴とする、芯出し具を提供する。
本願の第２発明は、第1発明の芯出し具において、前記帯状部材は可撓性を有することを特徴とする、芯出し具を提供する。
本願の第３発明は、第１発明の芯出し具において、前記帯状部材は網材からなることを特徴とする、芯出し具を提供する。
本願の第４発明は、第１発明乃至第３発明のいずれかの芯出し具において、前記芯出し具の周囲には、前記地盤と前記芯出し具を離すための足部を設けることを特徴とする、芯出し具を提供する。
【発明の効果】
【０００６】
本発明は、上記した課題を解決するための手段により、次のような効果の少なくとも一つを得ることができる。
＜１＞帯状の芯出し具を配置するだけで、容易に芯出しを行うことができる。
＜２＞芯出し具を敷設したまま杭の打設ができ、芯出し具の打設孔が基準となるため、杭打設時の位置ずれや芯ずれを防止できる。
＜３＞芯出し具は端部同士が係合可能であるため、ユニットの形に合わせて配置することができる。
＜４＞芯出し具は可撓性を有するため、現場への搬入や現地での配置が容易である。
＜５＞使用するユニットによって、杭の打設位置は決まっているため、他の部位や他現場で繰り返し利用することができる。
【発明を実施するための最良の形態】
【０００７】
［１］本発明の全体の構成
以下、図面を参照しながら本発明の実施の形態について説明する。
【０００８】
（１）芯出し具
本発明に係る芯出し具１０は帯状の部材である。（図１）
芯出し具１０はゴムや合成樹脂等からなり、可撓性を有する。
芯出し具１０には打設孔１１を形成する。
芯出し具１０の一方の端部には、凸部１２を芯出し具１０の長さ方向に延設する。芯出し具１０の他方の端部には、凸部１２と係合するように、凹部１３を形成する。
【０００９】
（２）打設孔
打設孔１１は、芯出し具１０の表面と裏面とを貫通する孔である。
打設孔１１は構造物の基礎となる支持杭２０よりも大きな径とする。
支持杭２０は、構造物に用いる木製や軽量鉄骨製のユニットによって打設位置が決まっている。そのため、使用するユニットの支持杭２０の打設位置に対応するように、打設孔１１を一個または複数個形成する。
【００１０】
（３）凸部、凹部
芯出し具１０の端部には凸部１２と凹部１３を、お互いに係合するように形成する。
凸部１２と凹部１３には係合した際に連続する係止穴１２１、１３１を設け、係止穴に係止ピン１４を挿通して連結する。係止ピン１４を地面に貫入できる長さとすると、係止ピン１４を介して、芯出し具１０を地盤上に固定することができる。
芯出し具１０には打設孔１１の配置の異なる複数種類の芯出し具１０ａ、１０ｂ、１０ｃがあり、構造物に用いるユニットによって決まる支持杭２０の打設位置に合わせて、複数種類を連結して用いることができる。（図２）
芯出し具１０ａと１０ｂとが直角に交わるように組み合わせて用いる際には、凸部１２と凹部１３は、どちらか一方を芯出し具１０の幅方向に形成する。
【００１１】
［２］施工方法
次に芯出し具１０を用いた芯出し〜杭打設の方法について説明する。
【００１２】
（１）芯出し工程
整地した地盤上にユニットの配置位置に合わせた基準杭の打設位置を決め、その位置と芯出し具１０及び打設孔１１が一致するように、芯出し具１０ａを配置する。
芯出し具１０は可撓性を有する帯状の部材であるため、軽量で丸めたり折り曲げたりすることができ、現場への搬入や地盤上への配置が容易である。
芯出し具１０が複数の打設孔１１を有する場合、基準杭以外の支持杭２０の打設位置も決まる。
【００１３】
住宅を構成するユニットの形状に合わせて複数種から予め選定した、芯出し具１０ａに隣接する芯出し具１０ｂ、１０ｃを配置していく。（図２）
芯出し具１０ａに係合させて１０ｂ、１０ｃと配置していくだけで、基準杭以外の支持杭２０の打設位置も決まる。
いずれかの基準点から測量することなく、芯出し具１０を組み合わせるだけで支持杭２０の打設位置が決まるため、芯出しが容易に行うことができる。
【００１４】
（２）杭設置〜打設工程
配置した芯出し具１０の打設孔１１に合わせて支持杭２０を設置し、打設していく。（図３）
打設孔１１は支持杭２０よりも径が大きいため、芯出し具１０を地盤上に配置したままの状態で支持杭２０を打設することができる。
また、支持杭２０は打設孔１１を基準として打設することができるため、支持杭２０の位置ずれや、打設途中での芯ずれを防止することができる。
【００１５】
芯出し具１０は支持杭２０と係合したりするものではないため、支持杭２０打設後は回収して、同一構築物の別の支持杭打設箇所の芯出しや、他の構築物の芯出し等、繰り返し利用できる。
芯出し具１０は軽量で丸めたり折り曲げたりすることができるため、現場での回収や現場からの搬出が容易である。
【００１６】
［その他実施例］
上記実施例では、芯出し具１０はゴムや合成樹脂等により形成したが、金網等の網材によって形成しても良い。（図４）
網材は軽量であるため、搬入や設置が容易である。
【００１７】
また、芯出し具１０の周囲には、棒材等によって構成した所定の高さの足部１５を設けてもよい。
足部１５を設けて地盤上面と芯出し具１０とを離すことによって、不陸のある地盤上であっても芯出しを行うことができる。
【図面の簡単な説明】
【００１８】
【図１】本発明にかかる芯出し具の斜視図
【図２】本発明の実施例を示す説明図
【図３】本発明の実施例を示す斜視図
【図４】本発明のその他実施例の斜視図
【符号の説明】
【００１９】
１０      芯出し具
１１      打設孔
１２      凸部
１２１    係止穴
１３      凹部
１３１    係止穴
１４      係止ピン
１５      足部
２０      支持杭
【図１】
0005103255.tif 000002
【図２】
0005103255.tif 000003
【図３】
0005103255.tif 000004
【図４】
0005103255.tif 000005